(57)【特許請求の範囲】
【請求項１】
アンテナ金属パターンと、
グランド金属パターンと、
前記アンテナ金属パターン及び前記グランド金属パターンに接続される検波回路とを有し、
前記検波回路は、
出力端子と、
前記アンテナ金属パターンの第１のノード及び前記グランド金属パターン間に接続される第１のダイオードと、
前記アンテナ金属パターンの第２のノード及び前記出力端子間に接続されるインダクタと、
前記出力端子及び前記グランド金属パターン間に接続される容量と、
前記アンテナ金属パターンの第３のノード及び前記グランド金属パターン間に接続される第２のダイオードとを有し、
前記第１のノード及び前記第２のノードの間隔は、前記第２のノード及び前記第３のノードの間隔と同じであることを特徴とする受信装置。
【請求項２】
アンテナ金属パターンと、
グランド金属パターンと、
前記アンテナ金属パターン及び前記グランド金属パターンに接続される検波回路とを有し、
前記検波回路は、
出力端子と、
前記アンテナ金属パターンの第１のノード及び前記グランド金属パターン間に接続される第１のダイオードと、
前記アンテナ金属パターンの第２のノード及び前記出力端子間に接続されるインダクタと、
前記出力端子及び前記グランド金属パターン間に接続される容量と、
前記アンテナ金属パターンの第３のノード及び前記グランド金属パターン間に接続される第２のダイオードとを有し、
前記第１のノードの電圧及び前記第２のノードの電圧は、相互に位相が反転した電圧であることを特徴とする受信装置。
【請求項３】
前記第１のノードは、前記アンテナ金属パターンの中で電圧振幅の変化が最も大きい地点のノードであることを特徴とする請求項１又は２記載の受信装置。
【請求項４】
さらに、前記検波回路を含む誘電体基板を有し、
前記アンテナ金属パターンは、前記誘電体基板の第１の面に形成され、
前記グランド金属パターンは、前記誘電体基板の前記第１の面とは異なる第２の面に形成されることを特徴とする請求項１〜３のいずれか１項に記載の受信装置。
【請求項５】
前記第１のノード及び前記第３のノードの間隔は、前記アンテナ金属パターンが受信する信号の波長の１／２〜３／８の範囲内であることを特徴とする請求項１〜４のいずれか１項に記載の受信装置。
【請求項６】
前記アンテナ金属パターンは、概ね四角形であり、
前記第１のノードは、前記アンテナ金属パターンの第１の辺の中央部に位置し、
前記第３のノードは、前記アンテナ金属パターンの前記第１の辺に対向する第２の辺の中央部に位置することを特徴とする請求項１〜５のいずれか１項に記載の受信装置。
【請求項７】
前記アンテナ金属パターンは、概ね四角形であり、
前記第１のノード及び前記第３のノードは、前記概ね四角形の対角線上に位置することを特徴とする請求項１〜５のいずれか１項に記載の受信装置。
【請求項８】
前記第１のダイオードのアノードは、前記アンテナ金属パターンの前記第１のノードに接続され、
前記第１のダイオードのカソードは、前記グランド金属パターンに接続されることを特徴とする請求項１〜７のいずれか１項に記載の受信装置。
【請求項９】
前記第１のダイオードのカソードは、前記アンテナ金属パターンの前記第１のノードに接続され、
前記第１のダイオードのアノードは、前記グランド金属パターンに接続されることを特徴とする請求項１〜７のいずれか１項に記載の受信装置。
【請求項１０】
前記第１のダイオードのアノードは、前記アンテナ金属パターンの前記第１のノードに接続され、
前記第１のダイオードのカソードは、前記グランド金属パターンに接続され、
前記第２のダイオードのアノードは、前記アンテナ金属パターンの前記第３のノードに接続され、
前記第２のダイオードのカソードは、前記グランド金属パターンに接続されることを特徴とする請求項１〜７のいずれか１項に記載の受信装置。
【請求項１１】
前記第１のダイオードのカソードは、前記アンテナ金属パターンの前記第１のノードに接続され、
前記第１のダイオードのアノードは、前記グランド金属パターンに接続され、
前記第２のダイオードのカソードは、前記アンテナ金属パターンの前記第３のノードに接続され、
前記第２のダイオードのアノードは、前記グランド金属パターンに接続されることを特徴とする請求項１〜７のいずれか１項に記載の受信装置。
【発明の詳細な説明】
【技術分野】
【０００１】
本発明は、受信装置に関する。
【背景技術】
【０００２】
第１のダイオードのカソードと第２のダイオードのカソードを接続し、第１のダイオードのアノードをアンテナの給電点に接続し、第２のダイオードのアノードを高周波的に接地したマイクロ波検波給電回路が知られている（特許文献１参照）。マイクロ波検波給電回路は、低域通過フィルタを介して、第１及び第２のダイオードのカソードより得られた検波電圧から電源供給を行う。
【０００３】
また、誘電体基板の裏面に形成されたグランド導体と、誘電体基板の表面に形成されたアンテナ素子となる第１の平面導体と、誘電体基板の表面に形成されたアンテナ素子となる第２の平面導体とを有するパッチアンテナ装置が知られている（特許文献２参照）。スイッチ素子は、第１の出力端子が第１の平面導体と接続され、第２の出力端子が第２の平面導体と接続される。インダクタ素子は、一端が第２の平面導体と接続され、他端がグランド導体と接続される。給電線は、内部導体が第１の平面導体と接続され、外部導体がグランド導体と接続される。パッチアンテナ装置は、スイッチ素子のオン／オフ制御により、第１の平面導体と第２の平面導体とを電気的に切断又は接続する。
【０００４】
また、直線偏波用パッチアンテナ素子と、直線偏波用パッチアンテナ素子に互いに直交する方向から取り付けた二つの給電回路とを有する直線偏波受信用アンテナが知られている（特許文献３参照）。第１及び第２のインピーダンス回路網は、給電回路の各々に対してパッチアンテナ素子からパッチアンテナ素子に結合させる電波の略１／４波長の長さとなる位置に設けられる。第１のインピーダンス回路網を短絡状態として他方の第２のインピーダンス回路網を設けた給電回路から直線偏波信号を取り出す。第２のインピーダンス回路網を短絡状態として他方の第１のインピーダンス回路網を設けた給電回路から直線偏波信号に対して交差偏波となる直線偏波信号を取り出す。
【先行技術文献】
【特許文献】
【０００５】
【特許文献１】特開平７−２３１５８５号公報
【特許文献２】特開平１０−１９０３４７号公報
【特許文献３】特開平７−１７６９４２号公報
【発明の概要】
【発明が解決しようとする課題】
【０００６】
本発明の目的は、新たな方式の検波を行うことができる受信装置を提供することである。
【課題を解決するための手段】
【０００７】
受信装置は、アンテナ金属パターンと、グランド金属パターンと、前記アンテナ金属パターン及び前記グランド金属パターンに接続される検波回路とを有し、前記検波回路は、出力端子と、前記アンテナ金属パターンの第１のノード及び前記グランド金属パターン間に接続される第１のダイオードと、前記アンテナ金属パターンの第２のノード及び前記出力端子間に接続されるインダクタと、前記出力端子及び前記グランド金属パターン間に接続される容量と、前記アンテナ金属パターンの第３のノード及び前記グランド金属パターン間に接続される第２のダイオードとを有し、前記第１のノード及び前記第２のノードの間隔は、前記第２のノード及び前記第３のノードの間隔と同じである。
また、受信装置は、アンテナ金属パターンと、グランド金属パターンと、前記アンテナ金属パターン及び前記グランド金属パターンに接続される検波回路とを有し、前記検波回路は、出力端子と、前記アンテナ金属パターンの第１のノード及び前記グランド金属パターン間に接続される第１のダイオードと、前記アンテナ金属パターンの第２のノード及び前記出力端子間に接続されるインダクタと、前記出力端子及び前記グランド金属パターン間に接続される容量と、前記アンテナ金属パターンの第３のノード及び前記グランド金属パターン間に接続される第２のダイオードとを有し、前記第１のノードの電圧及び前記第２のノードの電圧は、相互に位相が反転した電圧である。
【発明の効果】
【０００８】
新たな方式により、アンテナ金属パターンにより受信した信号に対する検波電圧を出力端子から出力することができる。
【図面の簡単な説明】
【０００９】
【図１】図１（Ａ）は第１の実施形態による受信装置の構成例を示す斜視図であり、図１（Ｂ）は図１（Ａ）の受信装置の断面図である。
【図２】図２は、アンテナ金属パターンの電界強度を示す図である。
【図３】図３（Ａ）〜（Ｃ）は、検波回路を示す図である。
【図４】図４は、図３（Ａ）の検波回路を含む受信装置の構成例を示す斜視図である。
【図５】図５は、図３（Ａ）のノード及び出力端子の１周期の電圧波形を示すタイムチャートである。
【図６】図６は、第２の実施形態による受信装置の構成例を示す図である。
【図７】図７は、第３の実施形態による受信装置の構成例を示す図である。
【図８】図８（Ａ）は第４の実施形態による検波回路の構成例を示す回路図あり、図８（Ｂ）は図８（Ａ）のノード及び出力端子の１周期の電圧波形を示すタイムチャートである。
【発明を実施するための形態】
【００１０】
（第１の実施形態）
図１（Ａ）は第１の実施形態による受信装置１００の構成例を示す斜視図であり、図１（Ｂ）は図１（Ａ）の受信装置１００の線１０７に沿った断面図である。受信装置１００は、誘電体基板１０８と、アンテナ金属パターン１０１と、グランド金属パターン１０２とを有する。アンテナ金属パターン１０１は、四角形（長方形）パターンの不平衡アンテナ（パッチアンテナ）であり、誘電体基板１０８の第１の面（表面）に形成される。グランド金属パターン１０２は、誘電体基板１０８の第１の面（表面）とは異なる第２の面（裏面）の全面に形成される。アンテナ金属パターン１０１は、高周波数の無線信号を受信する。
【００１１】
誘電体基板１０８は、検波回路として、第１のダイオード１０３ａ及び第２のダイオード１０３ｂを有する。第１のダイオード１０３ａのアノードはアンテナ金属パターン１０１のノード１０４ａに接続され、第１のダイオード１０３ａのカソードはグランド金属パターン１０２のノード１０５ａに接続される。第２のダイオード１０３ｂのアノードはアンテナ金属パターン１０１のノード１０４ｂに接続され、第２のダイオード１０３ｂのカソードはグランド金属パターン１０２のノード１０５ｂに接続される。
【００１２】
ノード１０４ａは、図１（Ａ）のアンテナ金属パターン１０１の第１の辺（下辺）の中央部に位置する。ノード１０４ｂは、図１（Ａ）のアンテナ金属パターン１０１の第１の辺（下辺）に対向する第２の辺（上辺）の中央部に位置する。ノード１０４ａ及び１０４ｂの間隔は、アンテナ金属パターン１０１が受信する信号の波長λの１／２の長さである。
【００１３】
線１０７は、ノード１０４ａ及び１０４ｂを通る直線である。アンテナ金属パターン１０１は、図１（Ａ）の下半分のアンテナ金属パターン１０１ａ及び図１（Ａ）の上半分のアンテナ金属パターン１０１ｂを有する。アンテナ金属パターン１０１ａの線１０７上の長さは、λ／４である。アンテナ金属パターン１０１ｂの線１０７上の長さも、λ／４である。
【００１４】
アンテナ金属パターン１０１は、線１０７と同じ方向１０６の電波信号を受信する。ノード１０４ａ及び１０４ｂの間隔はλ／２であるので、ノード１０４ａの電圧とノード１０４ｂの電圧との位相差は１８０度である。すなわち、ノード１０４ａの電圧及びノード１０４ｂの電圧は、相互に位相が反転した電圧である。
【００１５】
図２は、アンテナ金属パターン１０１のノード１０４ａ及び１０４ｂを結ぶ直線上の電界強度２０１を示す図である。ノード１０４ａ側の電界強度２０１が正である場合には、ノード１０４ｂ側の電界強度２０１が負になる。逆に、ノード１０４ａ側の電界強度が負である場合には、ノード１０４ｂ側の電界強度が正になる。また、アンテナ金属パターン１０１において、ノード１０４ａ及び１０４ｂを結ぶ直線１０７に対して垂直方向の直線上では、ノード１０４ａ及び１０４ｂを含む中央部が最大の電界強度となる。
【００１６】
ノード１０４ａ及び１０４ｂの位置について説明する。電界強度２０１は、ノード１０４ａ及び１０４ｂを結ぶ直線上において、アンテナ金属パターン１０１の一端のノード１０４ａが最大となり、アンテナ金属パターン１０１の他端のノード１０４ｂが最小となる。第１のダイオード１０３ａ及び第２のダイオード１０３ｂは、電圧の絶対値が大きい位置のノード１０４ａ及び１０４ｂに接続するのが好適である。したがって、ノード１０４ａ及び１０４ｂは、アンテナ金属パターン１０１の端又は端の近くに設けることが望ましい。ノード１０４ａ及び１０４ｂは、アンテナ金属パターン１０１の中で電圧振幅の変化が最も大きい地点のノードであることが好ましい。ちなみに、ノード１０４ａ及び１０４ｂ間の直線の中心点は、常に電界強度が０となるので、ダイオードを配置しても検波に寄与しない。
【００１７】
図１（Ｂ）の誘電体基板１０８は、図３（Ａ）の検波回路を有する。図３（Ａ）は、誘電体基板１０８内の検波回路の構成例を示す回路図である。検波回路は、第１のダイオード１０３ａ及び第２のダイオード１０３ｂの他、インダクタ３０１、容量３０２及び出力端子Ｖｄｅｔを有する。
【００１８】
アンテナ金属パターン１０１ａ及び１０１ｂは、図１（Ａ）のアンテナ金属パターン１０１に対応する。ノード３０３は、アンテナ金属パターン１０１ａ及び１０１ｂの境界のノードである。アンテナ金属パターン１０１ａのノード１０４ａ及び３０３の間隔は、λ／４の長さである。アンテナ金属パターン１０１ｂのノード１０４ｂ及び３０３の間隔も、λ／４の長さである。ノード１０４ａ及び１０４ｂの間隔は、λ／２である。
【００１９】
第１のダイオード１０３ａのアノードはアンテナ金属パターン１０１ａのノード１０４ａに接続され、第１のダイオード１０３ａのカソードはグランド金属パターン１０２に接続される。第２のダイオード１０３ｂのアノードはアンテナ金属パターン１０１ｂのノード１０４ｂに接続され、第２のダイオード１０３ｂのカソードはグランド金属パターン１０２に接続される。インダクタ３０１は、ノード３０３及び出力端子Ｖｄｅｔ間に接続される。容量３０２は、出力端子Ｖｄｅｔ及びグランド金属パターン１０２間に接続される。
【００２０】
高周波数の無線の信号ＲＦｉｎは、アンテナ１０１のノード１０４ａに入力される。ノード１０４ａの信号は、アンテナ金属パターン１０１ａ及び１０１ｂを介して、ノード１０４ｂに到達する。ノード１０４ａ及び１０４ｂの間隔はλ／２であるので、ノード１０４ｂの信号は、ノード１０４ａの信号に対して１８０度遅延した信号になる。すなわち、ノード１０４ａの信号及びノード１０４ｂの信号は、相互に位相が反転した信号である。
【００２１】
図４は、図３（Ａ）の検波回路を含む受信装置１００の構成例を示す斜視図である。ノード３０３は、直線１０７に対する垂直２等分線上に設けられる。インダクタ３０１は、線路の寄生インダクタでもよい。ノード１０４ａ及び３０３の間隔は、ノード１０４ｂ及び３０３の間隔と同じである。上記のように、アンテナ１０１が信号ＲＦｉｎを受信しているとき、上記の垂直２等分線上では電界強度が０となる。したがって、インダクタ３０１に接続するノード３０３を上記の垂直２等分線上に設けても高周波的には影響を与えない。
【００２２】
図５は、図３（Ａ）のノード１０４ａ，１０４ｂ及び出力端子Ｖｄｅｔの１周期の電圧波形を示すタイムチャートである。ノード１０４ａの電圧及びノード１０４ｂの電圧は、相互に位相が反転した電圧である。時刻ｔ１〜ｔ２では、ノード１０４ａの電圧は正値であり、ノード１０４ｂの電圧は負値である。これに対し、時刻ｔ２〜ｔ３では、ノード１０４ａの電圧は負値であり、ノード１０４ｂの電圧は正値である。
【００２３】
図３（Ｂ）は、図５の時刻ｔ１〜ｔ２における図３（Ａ）の検波回路の動作を説明するための等価回路図である。ノード１０４ｂの電圧は負値であるので、第２のダイオード１０３ｂはオフ状態になる。したがって、ノード１０４ｂは、第２のダイオード１０３ｂに対して切断され、オープン状態になる。これに対し、ノード１０４ａの電圧は正値であるので、第１のダイオード１０３ａはオン状態になり、容量３０２から、インダクタ３０１、アンテナ金属パターン１０１ａ及び第１のダイオード１０３ａを介して、グランド金属パターン１０２に電流３０４が流れる。その結果、容量３０２の出力端子Ｖｄｅｔ側の電極は、負電荷が蓄積され、負の電圧になる。インダクタ３０１及び容量３０２は、ローパスフィルタであるので、出力端子Ｖｄｅｔの電圧は、直流の負の電圧Ｖｎになる。第１のダイオード１０３ａの整流及びローパスフィルタにより、出力端子Ｖｄｅｔは、ノード１０４ａの電圧に対する検波電圧Ｖｎを出力する。
【００２４】
図３（Ｃ）は、図５の時刻ｔ２〜ｔ３における図３（Ａ）の検波回路の動作を説明するための等価回路図である。ノード１０４ａの電圧は負値であるので、第１のダイオード１０３ａはオフ状態になる。したがって、ノード１０４ａは、第１のダイオード１０３ａに対して切断され、オープン状態になる。これに対し、ノード１０４ｂの電圧は正値であるので、第２のダイオード１０３ｂはオン状態になり、容量３０２から、インダクタ３０１、アンテナ金属パターン１０１ｂ及び第２のダイオード１０３ｂを介して、グランド金属パターン１０２に電流３０５が流れる。その結果、容量３０２の出力端子Ｖｄｅｔ側の電極は、負電荷が蓄積され、負の電圧になる。インダクタ３０１及び容量３０２は、ローパスフィルタであるので、出力端子Ｖｄｅｔの電圧は、直流の負の電圧Ｖｎになる。第２のダイオード１０３ｂの整流及びローパスフィルタにより、出力端子Ｖｄｅｔは、ノード１０４ｂの電圧に対する検波電圧Ｖｎを出力する。
【００２５】
以上のように、受信装置１００は、アンテナ金属パターン１０１により受信した信号に対して、第１のダイオード１０３ａ及び第２のダイオード１０３ｂにより全波整流し、出力端子Ｖｄｅｔから検波電圧Ｖｎを出力することができる。検波回路は、高周波数の信号ＲＦｉｎの大きさを示す直流の電圧Ｖｎを出力する。
【００２６】
なお、本実施形態の受信装置１００は、図３（Ｂ）のように、第２のダイオード１０３ｂを削除してもよい。その場合、上記のように、第１のダイオード１０３ａの半波整流により、時刻ｔ１〜ｔ２で検波を行い、時刻ｔ２〜ｔ３では検波を行わないことになる。
【００２７】
また、本実施形態の受信装置１００は、図３（Ｃ）のように、第１のダイオード１０３ａを削除してもよい。その場合、上記のように、第２のダイオード１０３ｂの半波整流により、時刻ｔ１〜ｔ２で検波を行わず、時刻ｔ２〜ｔ３で検波を行うことになる。
【００２８】
ただし、図３（Ａ）のように、第１のダイオード１０３ａ及び第２のダイオード１０３ｂの両方を設けることにより、検波電圧Ｖｎの絶対値が大きくなり、高効率かつ高感度の検波を行うことができる。
【００２９】
また、平衡アンテナを用いた受信装置は、平衡アンテナと検波回路が別になり、サイズが大きくなってしまう課題がある。本実施形態の受信装置１００は、不平衡アンテナを用いることにより、不平衡アンテナ及び検波回路を一体化し、サイズを小さくすることができる。また、不平衡アンテナを用いた場合には、１個のダイオードによる半波整流の検波は可能であったが、それでは検波効率及び検波感度が低くなる課題があった。本実施形態は、不平衡アンテナを用いた場合にも、２個のダイオード１０３ａ及び１０３ｂによる全波整流の検波が可能になるので、検波効率及び検波感度を向上させることができる。
【００３０】
本実施形態の受信装置１００は、受信する高周波信号ＲＦｉｎの強度に応じた電圧Ｖｎを出力することができ、振幅変調（ＡＭ：Amplitude Modulation）された信号の復調、レーダー、ワイヤレス給電などに用いることができる。
【００３１】
（第２の実施形態）
図６は、第２の実施形態による受信装置１００の構成例を示す図である。本実施形態（図６）は、第１の実施形態（図１（Ａ））に対して、ノード１０４ａの位置が異なる。以下、本実施形態が第１の実施形態と異なる点を説明する。ノード１０４ａの位置は、アンテナ金属パターン１０１とダイオード１０３ａ，１０３ｂのインピーダンス整合に応じて、変わる。ダイオード１０３ａ及び１０３ｂのサイズを大きくすると、ダイオード１０３ａ及び１０３ｂのインピーダンス（接合抵抗）が小さくなる。その場合、アンテナ金属パターン１０１及びダイオード１０３ａ，１０３ｂのインピーダンス整合させるために、ノード１０４ａの位置をノード１０ｂ側に近づける。アンテナ金属パターン１０１に切り欠き部を設け、アンテナ金属パターン１０１の切り欠き部の端にノード１０４ａを設ける。なお、アンテナ金属パターン１０１のノード１０４ｂ側にも、切り欠き部を設け、ノード１０４ｂもアンテナ金属パターン１０１の切り欠き部の端に設けてもよい。アンテナ金属パターン１０１は、概ね四角形（概ね長方形）のパターンである。ノード１０４ａ及び１０４ｂの間隔は、アンテナ金属パターン１０１が受信する信号の波長λの１／２〜３／８の範囲内である。この場合も、インピーダンス整合により、ノード１０４ａの電圧とノード１０４ｂの電圧は、相互に位相が反転した電圧になる。本実施形態は、第１の実施形態と同様の効果を得ることができる。
【００３２】
（第３の実施形態）
図７は、第３の実施形態による受信装置１００の構成例を示す図である。本実施形態（図７）は、第１の実施形態（図１（Ａ））に対して、ノード１０４ａ及び１０４ｂの位置が異なる。以下、本実施形態が第１の実施形態と異なる点を説明する。第１の実施形態（図１（Ａ）では、検波回路は、方向１０６の電波信号を検波することができる。本実施形態（図７）では、斜め方向７０２の電波信号を検波することができる。
【００３３】
ノード１０４ａ及び１０４ｂは、四角形のアンテナ金属パターン１０１の対角線７０１上に位置する。好ましくは、ノード１０４ａは、四角形のアンテナ金属パターン１０１の第１の角の頂点に設けられる。ノード１０４ｂは、四角形のアンテナ金属パターン１０１の第１の角に対向する第２の角の頂点に設けられる。ノード１０４ａ及び１０４ｂの間隔は、λ／２の長さである。なお、第１の実施形態と同様に、インピーダンス整合のため、ノード１０４ａ及び１０４ｂの間隔は、アンテナ金属パターン１０１が受信する信号の波長λの１／２〜３／８の範囲内であればよい。また、アンテナ金属パターン１０１は、概ね四角形（概ね長方形）のパターンでもよい。
【００３４】
本実施形態によれば、アンテナ金属パターン１０１は、対角線７０１に平行な方向７０２の電波信号を受信する。ノード１０４ａの電圧及びノード１０４ｂの電圧は、相互に位相が反転した電圧になる。検波回路は、斜め方向７０２の電波信号を検波することができる。
【００３５】
（第４の実施形態）
図８（Ａ）は、図３（Ａ）に対応し、第４の実施形態による検波回路の構成例を示す回路図ある。本実施形態（図８（Ａ））は、第１の実施形態（図３（Ａ））に対し、第１のダイオード１０３ａ及び第２のダイオード１０３ｂの極性が逆である。以下、本実施形態が第１の実施形態と異なる点を説明する。
【００３６】
第１のダイオード１０３ａのカソードはアンテナ金属パターン１０１ａのノード１０４ａに接続され、第１のダイオード１０３ａのアノードはグランド金属パターン１０２に接続される。第２のダイオード１０３ｂのカソードはアンテナ金属パターン１０１ｂのノード１０４ｂに接続され、第２のダイオード１０３ｂのアノードはグランド金属パターン１０２に接続される。
【００３７】
図８（Ｂ）は、図８（Ａ）のノード１０４ａ，１０４ｂ及び出力端子Ｖｄｅｔの１周期の電圧波形を示すタイムチャートである。ノード１０４ａ及び１０４ｂの電圧波形は、図５のものと同じである。
【００３８】
時刻ｔ１〜ｔ２では、ノード１０４ａの電圧は正値であるので、第１のダイオード１０３ａはオフ状態になる。したがって、ノード１０４ａは、第１のダイオード１０３ａに対して切断され、オープン状態になる。これに対し、ノード１０４ｂの電圧は負値であるので、第２のダイオード１０３ｂはオン状態になり、グランド金属パターン１０２から、第２のダイオード１０３ｂ、アンテナ金属パターン１０１ｂ及びインダクタ３０１を介して、容量３０２に電流が流れる。その結果、容量３０２の出力端子Ｖｄｅｔ側の電極は、正電荷が蓄積され、正の電圧になる。インダクタ３０１及び容量３０２は、ローパスフィルタであるので、出力端子Ｖｄｅｔの電圧は、直流の正の電圧Ｖｐになる。第２のダイオード１０３ｂの整流及びローパスフィルタにより、出力端子Ｖｄｅｔは、ノード１０４ｂの電圧に対する検波電圧Ｖｐを出力する。
【００３９】
時刻ｔ２〜ｔ３では、ノード１０４ｂの電圧は正値であるので、第２のダイオード１０３ｂはオフ状態になる。したがって、ノード１０４ｂは、第２のダイオード１０３ｂに対して切断され、オープン状態になる。これに対し、ノード１０４ａの電圧は負値であるので、第１のダイオード１０３ａはオン状態になり、グランド金属パターン１０２から、第１のダイオード１０３ａ、アンテナ金属パターン１０１ａ及びインダクタ３０１を介して、容量３０２に電流が流れる。その結果、容量３０２の出力端子Ｖｄｅｔ側の電極は、正電荷が蓄積され、正の電圧になる。インダクタ３０１及び容量３０２は、ローパスフィルタであるので、出力端子Ｖｄｅｔの電圧は、直流の正の電圧Ｖｐになる。第１のダイオード１０３ａの整流及びローパスフィルタにより、出力端子Ｖｄｅｔは、ノード１０４ａの電圧に対する検波電圧Ｖｐを出力する。
【００４０】
以上のように、本実施形態によれば、検波回路は、直流の正の検波電圧Ｖｐを出力することができる。
【００４１】
なお、第１の実施形態と同様に、本実施形態は、第１のダイオード１０３ａ及び第２のダイオード１０３ｂのいずれか１個を削除してもよい。また、本実施形態に対して、第２の実施形態又は第３の実施形態を組み合わせることができる。
【００４２】
上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００４３】
１００  受信装置
１０１，１０１ａ，１０１ｂ  アンテナ金属パターン
１０２  グランド金属パターン
１０３ａ  第１のダイオード
１０３ｂ  第２のダイオード
１０４ａ，１０４ｂ，１０５ａ，１０５ｂ  ノード
１０６  電波信号の方向
１０７  直線
１０８  誘電体基板
【図１】
0006519236.tif 000002
【図２】
0006519236.tif 000003
【図３】
0006519236.tif 000004
【図４】
0006519236.tif 000005
【図５】
0006519236.tif 000006
【図６】
0006519236.tif 000007
【図７】
0006519236.tif 000008
【図８】
0006519236.tif 000009